【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
複数のレーザ発生手段を備え、これらレーザ発生手段のレーザビームにより画像を形成する画像形成装置において、
前記各レーザ発生手段の単独によるテストパターン画像の形成をレーザ発生手段ごとに実行するテストパターン形成手段と、
このテストパターン形成手段で形成される各テストパターン画像の濃度を検出する検出手段と、
この検出手段の各検出結果のうち、前記各レーザ発生手段のいずれか１つに対応する第１の検出結果を基準値とし、この基準値と他のレーザ発生手段に対応する第２の検出結果との差を、同他のレーザ発生手段の出力に対する補正値として設定する設定手段と、
を具備したことを特徴とする画像形成装置。
【請求項２】
複数のレーザ発生手段を備え、これらレーザ発生手段のレーザビームにより画像を形成する画像形成装置において、
前記各レーザ発生手段の単独による複数階調のテストパターン画像の形成をレーザ発生手段ごとに実行するテストパターン形成手段と、
このテストパターン形成手段で形成される各テストパターン画像の濃度を階調毎に検出する検出手段と、
この検出手段で検出される階調毎の各検出結果のうち、前記各レーザ発生手段のいずれか１つに対応する第１の検出結果を基準値とし、この基準値と他のレーザ発生手段に対応する第２の検出結果との差を、同他のレーザ発生手段の階調毎の出力に対する補正値として設定する設定手段と、
を具備したことを特徴とする画像形成装置。
【請求項３】
複数のレーザ発生手段を備え、これらレーザ発生手段のレーザビームにより画像を形成する画像形成装置において、
前記各レーザ発生手段の単独によるテストパターン画像の形成をレーザ発生手段ごとに実行するテストパターン形成手段と、
このテストパターン形成手段で形成される各テストパターン画像を読取る読取手段と、
この読取手段の各読取画像の濃度を検出する検出手段と、
この検出手段の各検出結果のうち、前記各レーザ発生手段のいずれか１つに対応する第１の検出結果を基準値とし、この基準値と他のレーザ発生手段に対応する第２の検出結果との差を、同他のレーザ発生手段の出力に対する補正値として設定する設定手段と、
を具備したことを特徴とする画像形成装置。
【請求項４】
複数のレーザ発生手段を備え、これらレーザ発生手段のレーザビームにより画像を形成する画像形成装置において、
前記各レーザ発生手段の単独による複数階調のテストパターン画像の形成をレーザ発生手段ごとに実行するテストパターン形成手段と、
このテストパターン形成手段で形成される各テストパターン画像を読取る読取手段と、
この読取手段の各読取画像の濃度を階調毎に検出する検出手段と、
この検出手段で検出される階調毎の各検出結果のうち、前記各レーザ発生手段のいずれか１つに対応する第１の検出結果を基準値とし、この基準値と他のレーザ発生手段に対応する第２の検出結果との差を、同他のレーザ発生手段の階調毎の出力に対する補正値として設定する設定手段と、
を具備したことを特徴とする画像形成装置。
【請求項５】
複数のレーザ発生手段を備え、これらレーザ発生手段のレーザビームにより画像を形成する画像形成装置において、
前記各レーザ発生手段の単独によるテストパターン画像の形成をレーザ発生手段ごとに実行するテストパターン形成手段と、
前記テストパターン形成手段で形成される各テストパターン画像を読取る読取手段と、
この読取手段の各読取画像のヒストグラムにおける複数のピーク値のうち高濃度側ピーク値の前後の所定幅に存する画像濃度のそれぞれの平均値を検出する検出手段と、
この検出手段の各検出結果のうち、前記各レーザ発生手段のいずれか１つに対応する第１の検出結果を基準値とし、この基準値と他のレーザ発生手段に対応する第２の検出結果との差を、同他のレーザ発生手段の出力に対する補正値として設定する設定手段と、
を具備したことを特徴とする画像形成装置。
【請求項６】
複数のレーザ発生手段を備え、これらレーザ発生手段のレーザビームにより画像を形成する画像形成装置において、
前記各レーザ発生手段の単独による複数階調のテストパターン画像の形成をレーザ発生手段ごとに実行するテストパターン形成手段と、
このテストパターン形成手段で形成される各テストパターン画像を読取る読取手段と、
この読取手段の各読取画像のヒストグラムにおける複数のピーク値のうち高濃度側ピーク値の前後の所定幅に存する画像濃度のそれぞれの平均値を階調毎に検出する検出手段と、
この検出手段で検出される階調毎の各検出結果のうち、前記各レーザ発生手段のいずれか１つに対応する第１の検出結果を基準値とし、この基準値と他のレーザ発生手段に対応する第２の検出結果との差を、同他のレーザ発生手段の階調毎の出力に対する補正値として設定する設定手段と、
を具備したことを特徴とする画像形成装置。
【請求項７】
請求項１ないし請求項６のいずれかに記載の画像形成装置において、
前記設定手段で設定される補正値を前記第２の検出結果に加えて前記他のレーザ発生手段の出力値を設定する設定手段、を具備したことを特徴とする画像形成装置。
【請求項８】
請求項１ないし請求項６のいずれかに記載の画像形成装置において、
前記テストパターン形成手段は、定期的または必要時に作動することを特徴とする画像形成装置。
【請求項９】
複数のレーザ発生手段を備え、これらレーザ発生手段のレーザビームにより画像を形成する画像形成装置において、
前記各レーザ発生手段の単独によるテストパターンの画像形成をレーザ発生手段ごとに実行し、これら形成されるテストパターン画像の濃度を検出し、これら検出結果のうち、前記各レーザ発生手段のいずれか１つに対応する検出結果を基準値とし、この基準値と他のレーザ発生手段に対応する検出結果との差を同他のレーザ発生手段の出力に対する補正値として設定することを特徴とする画像形成装置のレーザ出力制御方法。
【請求項１０】
複数のレーザ発生手段を備え、これらレーザ発生手段のレーザビームにより画像を形成する画像形成装置において、
前記各レーザ発生手段の単独によるテストパターン画像の形成をレーザ発生手段ごとに実行し、これら形成されるテストパターン画像を読取り、これら読取画像の濃度を検出し、これら検出結果のうち、前記各レーザ発生手段のいずれか１つに対応する検出結果と他のレーザ発生手段に対応する検出結果を基準値とし、この基準値との差を同他のレーザ発生手段の出力に対する補正値として設定することを特徴とする画像形成装置のレーザ出力制御方法。
【請求項１１】
複数のレーザ発生手段を備え、これらレーザ発生手段のレーザビームにより画像を形成する画像形成装置において、
前記各レーザ発生手段の単独によるテストパターン画像の形成をレーザ発生手段ごとに実行し、これら形成されるテストパターン画像を読取り、これら読取画像のヒストグラムにおける複数のピーク値のうち高濃度側ピーク値の前後の所定幅に存する画像濃度のそれぞれの平均値を検出し、これら検出結果のうち、前記各レーザ発生手段のいずれか１つに対応する検出結果と他のレーザ発生手段に対応する検出結果を基準値とし、この基準値との差を同他のレーザ発生手段の出力に対する補正値として設定することを特徴とする画像形成装置のレーザ出力制御方法。
【請求項１２】
複数のレーザ発生手段を備え、これらレーザ発生手段のレーザビームにより画像を形成する画像形成装置において、
前記各レーザ発生手段の単独による複数階調のテストパターン画像の形成をレーザ発生手段ごとに実行し、これら形成されるテストパターン画像を読取り、これら読取画像のヒストグラムにおける複数のピーク値のうち高濃度側ピーク値の前後の所定幅に存する画像濃度のそれぞれの平均値を階調毎に検出し、これら検出結果のうち、前記各レーザ発生手段のいずれか１つに対応する検出結果を基準値とし、この基準値と他のレーザ発生手段に対応する検出結果との差を、同他のレーザ発生手段の階調毎の出力に対する補正値として設定することを特徴とする画像形成装置のレーザ出力制御方法。
【手続補正２】
【補正対象書類名】明細書
【補正対象項目名】０００８
【補正方法】変更
【補正の内容】
【０００８】
【課題を解決するための手段】
第１の発明（請求項１）の画像形成装置は、複数のレーザ発生手段を備え、これらレーザ発生手段のレーザビームにより画像を形成する画像形成装置において、上記各レーザ発生手段の単独によるテストパターン画像の形成をレーザ発生手段ごとに実行するテストパターン形成手段と、このテストパターン形成手段で形成される各テストパターン画像の濃度を検出する検出手段と、この検出手段の各検出結果のうち、上記各レーザ発生手段のいずれか１つに対応する第１の検出結果を基準値とし、この基準値と他のレーザ発生手段に対応する第２の検出結果との差を、同他のレーザ発生手段の出力に対する補正値として設定する設定手段と、を備える。
【手続補正３】
【補正対象書類名】明細書
【補正対象項目名】０００９
【補正方法】変更
【補正の内容】
【０００９】
すなわち、第１の発明では、各レーザ発生手段の単独によるテストパターンの画像形成がレーザ発生手段ごとに実行され、これら形成されるテストパターン画像の濃度が検出され、これら検出結果のうち、各レーザ発生手段のいずれか１つに対応する検出結果を基準値とし、この基準値と他のレーザ発生手段に対応する検出結果との差が同他のレーザ発生手段の出力に対する補正値として設定される。
【手続補正４】
【補正対象書類名】明細書
【補正対象項目名】００１０
【補正方法】変更
【補正の内容】
【００１０】
第２の発明（請求項２）の画像形成装置は、複数のレーザ発生手段を備え、これらレーザ発生手段のレーザビームにより画像を形成する画像形成装置において、上記各レーザ発生手段の単独による複数階調のテストパターン画像の形成をレーザ発生手段ごとに実行するテストパターン形成手段と、このテストパターン形成手段で形成される各テストパターン画像の濃度を階調毎に検出する検出手段と、この検出手段で検出される階調毎の各検出結果のうち、上記各レーザ発生手段のいずれか１つに対応する第１の検出結果を基準値とし、この基準値と他のレーザ発生手段に対応する第２の検出結果との差を、同他のレーザ発生手段の階調毎の出力に対する補正値として設定する設定手段と、を備える。
【手続補正５】
【補正対象書類名】明細書
【補正対象項目名】００１１
【補正方法】変更
【補正の内容】
【００１１】
第３の発明（請求項３）の画像形成装置は、複数のレーザ発生手段を備え、これらレーザ発生手段のレーザビームにより画像を形成する画像形成装置において、上記各レーザ発生手段の単独によるテストパターン画像の形成をレーザ発生手段ごとに実行するテストパターン形成手段と、このテストパターン形成手段で形成される各テストパターン画像を読取る読取手段と、この読取手段の各読取画像の濃度を検出する検出手段と、この検出手段の各検出結果のうち、上記各レーザ発生手段のいずれか１つに対応する第１の検出結果を基準値とし、この基準値と他のレーザ発生手段に対応する第２の検出結果との差を、同他のレーザ発生手段の出力に対する補正値として設定する設定手段と、を備える。
【手続補正６】
【補正対象書類名】明細書
【補正対象項目名】００１２
【補正方法】変更
【補正の内容】
【００１２】
第４の発明（請求項４）の画像形成装置は、複数のレーザ発生手段を備え、これらレーザ発生手段のレーザビームにより画像を形成する画像形成装置において、上記各レーザ発生手段の単独による複数階調のテストパターン画像の形成をレーザ発生手段ごとに実行するテストパターン形成手段と、このテストパターン形成手段で形成される各テストパターン画像を読取る読取手段と、この読取手段の各読取画像の濃度を階調毎に検出する検出手段と、この検出手段で検出される階調毎の各検出結果のうち、上記各レーザ発生手段のいずれか１つに対応する第１の検出結果を基準値とし、この基準値と他のレーザ発生手段に対応する第２の検出結果との差を、同他のレーザ発生手段の階調毎の出力に対する補正値として設定する設定手段と、を備える。
【手続補正７】
【補正対象書類名】明細書
【補正対象項目名】００１３
【補正方法】変更
【補正の内容】
【００１３】
第５の発明（請求項５）の画像形成装置は、複数のレーザ発生手段を備え、これらレーザ発生手段のレーザビームにより画像を形成する画像形成装置において、上記各レーザ発生手段の単独によるテストパターン画像の形成をレーザ発生手段ごとに実行するテストパターン形成手段と、上記テストパターン形成手段で形成される各テストパターン画像を読取る読取手段と、この読取手段の各読取画像のヒストグラムにおける複数のピーク値のうち高濃度側ピーク値の前後の所定幅に存する画像濃度のそれぞれの平均値を検出する検出手段と、この検出手段の各検出結果のうち、上記各レーザ発生手段のいずれか１つに対応する第１の検出結果を基準値とし、この基準値と他のレーザ発生手段に対応する第２の検出結果との差を、同他のレーザ発生手段の出力に対する補正値として設定する設定手段と、を備える。
【手続補正８】
【補正対象書類名】明細書
【補正対象項目名】００１４
【補正方法】変更
【補正の内容】
【００１４】
第６の発明（請求項６）の画像形成装置は、複数のレーザ発生手段を備え、これらレーザ発生手段のレーザビームにより画像を形成する画像形成装置において、上記各レーザ発生手段の単独による複数階調のテストパターン画像の形成をレーザ発生手段ごとに実行するテストパターン形成手段と、このテストパターン形成手段で形成される各テストパターン画像を読取る読取手段と、この読取手段の各読取画像のヒストグラムにおける複数のピーク値のうち高濃度側ピーク値の前後の所定幅に存する画像濃度のそれぞれの平均値を階調毎に検出する検出手段と、この検出手段で検出される階調毎の各検出結果のうち、上記各レーザ発生手段のいずれか１つに対応する第１の検出結果を基準値とし、この基準値と他のレーザ発生手段に対応する第２の検出結果との差を、同他のレーザ発生手段の階調毎の出力に対する補正値として設定する設定手段と、を備える。
【手続補正９】
【補正対象書類名】明細書
【補正対象項目名】００１５
【補正方法】変更
【補正の内容】
【００１５】
第７の発明（請求項７）の画像形成装置は、第１ないし第６の発明のいずれかにおいて、上記設定手段で設定される補正値を上記第２の検出結果に加えて上記他のレーザ発生手段の出力値を設定する設定手段、をさらに備える。
【手続補正１０】
【補正対象書類名】明細書
【補正対象項目名】００１６
【補正方法】変更
【補正の内容】
【００１６】
第８の発明（請求項８）の画像形成装置は、第１ないし第６の発明のいずれかにおいて、上記テストパターン形成手段は、定期的または必要時に作動する。
第９の発明（請求項９）の画像形成装置のレーザ出力制御方法は、複数のレーザ発生手段を備え、これらレーザ発生手段のレーザビームにより画像を形成する画像形成装置において、上記各レーザ発生手段の単独によるテストパターンの画像形成をレーザ発生手段ごとに実行し、これら形成されるテストパターン画像の濃度を検出し、これら検出結果のうち、上記各レーザ発生手段のいずれか１つに対応する検出結果を基準値とし、この基準値と他のレーザ発生手段に対応する検出結果との差を同他のレーザ発生手段の出力に対する補正値として設定する。
【手続補正１１】
【補正対象書類名】明細書
【補正対象項目名】００１７
【補正方法】変更
【補正の内容】
【００１７】
第１０の発明（請求項１０）の発明の画像形成装置のレーザ出力制御方法は、複数のレーザ発生手段を備え、これらレーザ発生手段のレーザビームにより画像を形成する画像形成装置において、上記各レーザ発生手段の単独によるテストパターン画像の形成をレーザ発生手段ごとに実行し、これら形成されるテストパターン画像を読取り、これら読取画像の濃度を検出し、これら検出結果のうち、上記各レーザ発生手段のいずれか１つに対応する検出結果を基準値とし、この基準値と他のレーザ発生手段に対応する検出結果との差を同他のレーザ発生手段の出力に対する補正値として設定する。
【手続補正１２】
【補正対象書類名】明細書
【補正対象項目名】００１８
【補正方法】変更
【補正の内容】
【００１８】
第１１の発明（請求項１１）の発明の画像形成装置のレーザ出力制御方法は、複数のレーザ発生手段を備え、これらレーザ発生手段のレーザビームにより画像を形成する画像形成装置において、上記各レーザ発生手段の単独によるテストパターン画像の形成をレーザ発生手段ごとに実行し、これら形成されるテストパターン画像を読取り、これら読取画像のヒストグラムにおける複数のピーク値のうち高濃度側ピーク値の前後の所定幅に存する画像濃度のそれぞれの平均値を検出し、これら検出結果のうち、上記各レーザ発生手段のいずれか１つに対応する検出結果を基準値とし、この基準値と他のレーザ発生手段に対応する検出結果との差を同他のレーザ発生手段の出力に対する補正値として設定する。
【手続補正１３】
【補正対象書類名】明細書
【補正対象項目名】００１９
【補正方法】変更
【補正の内容】
【００１９】
第１２の発明（請求項１２）の発明の画像形成装置のレーザ出力制御方法は、複数のレーザ発生手段を備え、これらレーザ発生手段のレーザビームにより画像を形成する画像形成装置において、上記各レーザ発生手段の単独による複数階調のテストパターン画像の形成をレーザ発生手段ごとに実行し、これら形成されるテストパターン画像を読取り、これら読取画像のヒストグラムにおける複数のピーク値のうち高濃度側ピーク値の前後の所定幅に存する画像濃度のそれぞれの平均値を階調毎に検出し、これら検出結果のうち、上記各レーザ発生手段のいずれか１つに対応する検出結果を基準値とし、この基準値と他のレーザ発生手段に対応する検出結果との差を、同他のレーザ発生手段の階調毎の出力に対する補正値として設定する。
【手続補正１４】
【補正対象書類名】明細書
【補正対象項目名】００８５
【補正方法】変更
【補正の内容】
【００８５】
【発明の効果】
以上述べたようにこの発明によれば、各レーザ発生手段の単独によるテストパターンの画像形成をレーザ発生手段ごとに実行し、これら形成されるテストパターン画像の濃度を検出し、これら検出結果のうち、各レーザ発生手段のいずれか１つに対応する検出結果を基準値とし、この基準値と他のレーザ発生手段に対応する検出結果との差を同他のレーザ発生手段の出力に対する補正値として設定する構成としたので、複数のレーザ発振器から発せられるレーザビームの走査ライン毎の濃度むらを解消して中間調の良好な再現が可能な画像形成装置を提供できる。
【手続補正１５】
【補正対象書類名】明細書
【補正対象項目名】００８６
【補正方法】変更
【補正の内容】
【００８６】
また、各レーザ発生手段の単独によるテストパターンの画像形成をレーザ発生手段ごとに実行し、これら形成されるテストパターン画像の濃度を検出し、これら検出結果のうち、各レーザ発生手段のいずれか１つに対応する検出結果を基準値とし、この基準値と他のレーザ発生手段に対応する検出結果との差を同他のレーザ発生手段の出力に対する補正値として設定するようにしたので、複数のレーザ発振器から発せられるレーザビームの走査ライン毎の濃度むらを解消して中間調の良好な再現が可能な画像形成装置のレーザ出力制御方法を提供できる。